(57)【要約】【課題】中空二重壁構造体の屈曲部に、その屈曲頂部から中空二重壁構造の一方の壁を他方の壁に向け膨出させて凹状リブを形成して、その凹状リブの膨出頂部を他方の壁に溶着することにより屈曲コーナー部を補強して、全体に剛性および強度性にすぐれた樹脂製中空二重壁構造体を提供する。【解決手段】ハウジングパネルのコーナーパネル１は、熱可塑性樹脂材料をブロー成形して得られる樹脂性中空二重壁構造体である。コーナーパネル１はその一方のパネル面２と他方のパネル面３が屈曲構造をなしている。一方のパネル面２と他方のパネル面３の屈曲部４には、中空二重壁構造の一方の壁７を他方の壁８に向け膨出させて凹状リブ１０を形成する。凹状リブ１０の膨出頂部１１を他方の壁８の屈曲頂部１２に溶着一体化する。【選択図】　　　　図４
2004058629.tif 000002
【特許請求の範囲】
【請求項１】
熱可塑性樹脂材料をブロー成形して得られる樹脂性中空二重壁構造体であって、
中空二重壁構造体は、少なくともその一部が屈曲構造をなしており、
中空二重壁構造体の屈曲部に、その屈曲頂部から中空二重壁構造の一方の壁を他方の壁に向け膨出させて凹状リブを形成するとともに、この凹状リブの膨出頂部を他方の壁に溶着して一体化したことを特徴とする樹脂製中空二重壁構造体。
【請求項２】
中空二重壁構造体の屈曲部に形成する凹状リブは複数であることを特徴とする請求項１記載の樹脂製中空二重壁構造体。
【請求項３】
中空二重壁構造体の一方の壁は使用時には裏面または内面となり、外観に現れない面を構成し、他方の壁は使用時には表面または外面となり、外観に現れる面を構成し、中空二重壁構造体の使用態様において凹状リブが目視されない位置に形成されていることを特徴とする請求項１または２記載の中空二重壁構造体。
【発明の詳細な説明】
【０００１】
【発明の属する技術分野】
本発明は、熱可塑性樹脂材料をブロー成形して得られる樹脂製中空二重壁構造体であって、棚パネルやハウジングパネルなど少なくとも一部に屈曲部を有する樹脂製中空二重壁構造体に関するものである。
【０００２】
【従来の技術】
従来、棚パネルとしては、その基端部や前縁部に立ち上がり部が形成されたものがあり、また、ハウジングパネルには、ハウジングのコーナー部を構成するための屈曲形状のものがある（例えば、特開平９−１２３２６１号公報参照）。
【０００３】
【発明が解決しようとする課題】
ところで、屈曲形状のハウジングパネルであって中空二重壁構造のものは、その剛性および強度性が比較的大であるが、その屈曲コーナー部をさらに補強すれば、剛性および強度性がさらに向上させることができるものである。
【０００４】
そこで、本発明の目的は、中空二重壁構造体の屈曲部に、その屈曲頂部から中空二重壁構造の一方の壁を他方の壁に向け膨出させて凹状リブを形成して、その凹状リブの膨出頂部を他方の壁に溶着することにより屈曲コーナー部を補強して、全体に剛性および強度性にすぐれた樹脂製中空二重壁構造体を提供するものである。
【０００５】
【課題を解決するための手段】
上記目的を達成するための本発明の請求項１に係る樹脂製中空二重壁構造体は、熱可塑性樹脂材料をブロー成形して得られる樹脂性中空二重壁構造体であって、中空二重壁構造体は、少なくともその一部が屈曲構造をなしており、中空二重壁構造体の屈曲部に、その屈曲頂部から中空二重壁構造の一方の壁を他方の壁に向け膨出させて凹状リブを形成するとともに、この凹状リブの膨出頂部を他方の壁に溶着して一体化したことを特徴とするものである。
【０００６】
また、本発明の請求項２に係る樹脂製中空二重壁構造体は、請求項１記載の樹脂製中空二重壁構造体において、中空二重壁構造体の屈曲部に形成する凹状リブは複数であることを特徴とするものである。
【０００７】
さらに、本発明の請求項３に係る樹脂製中空二重壁構造体は、請求項１または２記載の樹脂製中空二重壁構造体において、中空二重壁構造体の一方の壁は使用時には裏面または内面となり、外観に現れない面を構成し、他方の壁は使用時には表面または外面となり、外観に現れる面を構成し、中空二重壁構造体の使用態様において凹状リブが目視されない位置に形成されていることを特徴とするものである。
【０００８】
【発明の実施の形態】
図１ないし図４には本発明に係る樹脂製中空二重壁構造体としてハウジングパネルのコーナーパネルを例示し、また図５および図６には同じく棚パネルを例示している。図１は本発明の一実施の形態に係るコーナーパネルの斜視図、図２は同上正面図、図３は同上側面図、図４は図１のＡ−Ａ線矢止方向の断面図で、図５は本発明の他の実施の形態に係る棚パネルの斜視図、図６は図５のＢ−Ｂ線断面図である。
【０００９】
図１ないし図４において、１はコーナーパネルである。このコーナーパネル１は、樹脂製中空二重壁構造体でなり、２は一方のパネル面、３はその他方のパネル面であり、４は屈曲部、５は中空部、６は補強リブである。
【００１０】
一方のパネル面２と他方のパネル面３は、屈曲部４に対して互いに直角方向に屈曲してコーナーパネル１をなしており、７は一方の壁、８は他方の壁であって、一方の壁７と他方の壁８は、中空部５をはさんで互いに対向して中空二重壁構造をなしている。９は周囲壁である。
【００１１】
コーナーパネル１の屈曲部４には、一方の壁７から他方の壁８に向けて膨出させた凹状リブ１０が形成されており、その凹状リブ１０の膨出頂部１１は他方の壁８の屈曲頂部１２に溶着され、一方の壁７と他方の壁８は屈曲部４において凹状リブ１０により結合され、一体化されている。図１ないし図４に示す実施の形態においては、凹状リブ１０をコーナーパネル１の長手方向の両端寄り２箇所に形成されている。
【００１２】
図５には本発明に係る樹脂製中空二重壁構造体として棚パネル１３が例示されており、この棚パネル１３は、その基端側に高さの低い立上部１４が屈曲状に形成されたものであり、その屈曲部１５には、中空二重壁構造の一方の壁１６から他方の壁１７に向けて膨出形成した凹状リブ１８の膨出頂部１９が他方の壁１７の屈曲頂部２０に溶着されている。このような凹状リブ１８は、棚パネル１３の基端側幅方向に多数並べて形成してある。２１は中空部である。
【００１３】
本発明に係るコーナーパネル１または棚パネル１４は、ともに他方の壁が外観に現れる意匠面を構成し、凹状リブを有する一方の壁は使用態様において目視されない位置を構成している。コーナーパネル１においてはコーナー部分を有するキャビネットのコーナー部分に収納されるワゴンの前面パネルなどとして使用され、屈曲した凹状の他方の壁を室内側に向けて配置され、ワゴン内の収納物を覆い隠す役割を果たす。また、棚パネルにおいては物品を陳列する面である他方の壁の後方に立上部が形成されており陳列された物品が後方より転落するのを防止しており、この後方の部分は棚パネルを支柱などに固定する部分で陳列物品の荷重が直接かかり強度が必要となるところである。
【００１４】
本発明に係るコーナーパネル１または棚パネル１４は、ブロー成形された中空二重壁構造体である。そして、それを構成する熱可塑性樹脂は、高密度ポリエチレン樹脂、ポリプロピレン樹脂、ポリスチレン樹脂、ＡＢＳ樹脂、ナイロン樹脂、ポリカーボネート樹脂、ポリエチレンテレフタート樹脂、ポリブチレンテレフタート樹脂あるいは変性ＰＰＯなどのエンジニアリングプラスチックおよびこれらのブレンド体である。
【００１５】
本発発明の実施の形態に係るコーナーパネル１にあっては、その屈曲部４が凹状リブ１０で中空二重壁構造の対向壁間が一体化されているので、コーナーパネル１はその全体が剛性および強度性にすぐれている。特に、一方のパネル面と他方のパネル面とを屈曲部を支点とした開き方向または折り畳み方向の力に対して、剛性が向上し、変形または破損が防止される。また、本発明の実施の形態に係る棚パネル１３にあっても、その基端側の立上部１４との屈曲部１５が凹状リブ１８によって中空二重壁構造の対向壁間が一体化されているので、棚パネル１３はその全体が剛性および強度性にすぐれている。
【００１６】
【発明の効果】
本発明によれば、中空二重壁構造体の屈曲部に、その屈曲頂部から中空二重壁構造の一方の壁を他方の壁に向け膨出させて凹状リブを形成して、その凹状リブの膨出頂部を他方の壁に溶着することにより屈曲コーナー部を補強して、全体に剛性および強度性にすぐれた樹脂製中空二重壁構造体を提供することができる。
【図面の簡単な説明】
【図１】本発明に係る樹脂製中空二重壁構造体としてハウジングパネルのコーナーパネルを例示する斜視図である。
【図２】同上正面図である。
【図３】同上側面図である。
【図４】図１のＡ−Ａ線矢止方向の断面図である。
【図５】本発明に係る樹脂製中空二重壁構造体として棚パネルを例示する斜視図である。
【図６】図５のＢ−Ｂ線断面図である。
【符号の説明】
１　コーナーパネル
２　一方のパネル面
３　他方のパネル面
４　屈曲部
５　中空部
６　補強リブ
７　一方の壁
８　他方の壁
９　周囲壁
１０　凹状リブ
１１　膨出頂部
１２　屈曲頂部
１３　棚パネル
１４　立上部
１５　屈曲部
１６　一方の壁
１７　他方の壁
１８　凹状リブ
１９　膨出頂部
２０　屈曲頂部
２１　中空部
【図１】
2004058629.tif 000003
【図２】
2004058629.tif 000004
【図３】
2004058629.tif 000005
【図４】
2004058629.tif 000006
【図５】
2004058629.tif 000007
【図６】
2004058629.tif 000008